(57)【要約】【課題】ユーザが容易に仰角の情報を取得することのできる指針式の仰角表示装置を提供する。【解決手段】第１の指針（２）と、第１の指針を駆動する第１指針駆動手段と、第２の指針（５）と、第２の指針を駆動する第２指針駆動手段と、水平方向を検出する水平方向検出手段と、第１及び第２指針駆動手段の動作制御を行う動作制御手段とを備え、この動作制御手段は、第１指針駆動手段を動作させて第１の指針に水平方向検出手段で求められた水平方向を表示させるとともに、第２指針駆動手段を動作させて第２の指針に仰角の方向を表示させる。【選択図】図３
2011141218.tif 000002
【特許請求の範囲】
【請求項１】
第１の指針と、前記第１の指針を駆動する第１指針駆動手段と、第２の指針と、前記第２の指針を駆動する第２指針駆動手段と、水平方向を検出する水平方向検出手段と、前記第１指針駆動手段及び前記第２指針駆動手段の動作制御を行う動作制御手段とを備え、
前記動作制御手段は、
前記第１指針駆動手段を動作させて前記第１の指針に前記水平方向検出手段で求められた水平方向を表示させるとともに、前記第２指針駆動手段を動作させて前記第２の指針に所定の仰角の方向を表示させる
ことを特徴とする仰角表示装置。
【請求項２】
仰角の値を入力する入力手段と、
前記入力手段により入力された仰角の値を記憶する仰角記憶手段とを備え、
前記動作制御手段は、
前記仰角記憶手段に記憶された仰角の値に基づいて前記第２指針駆動手段を動作させ、前記第２の指針に当該仰角の方向を表示させる
ことを特徴とする請求項１記載の仰角表示装置。
【請求項３】
指定された方向の仰角の値を取得する仰角取得手段と、
前記仰角取得手段により取得された仰角の値を記憶する仰角記憶手段とを備え、
前記動作制御手段は、
前記仰角記憶手段に記憶された仰角の値に基づいて前記第２指針駆動手段を動作させ、前記第２の指針に当該仰角の方向を表示させる
ことを特徴とする請求項１記載の仰角表示装置。
【請求項４】
角度の値を示す目盛が環状に設けられた角度表示部を備え、
前記動作制御手段は、
前記第１指針駆動手段又は前記第２指針駆動手段を動作させ、動作する当該指針駆動手段により駆動される前記第１の指針又は前記第２の指針が前記角度表示部の目盛を指し示すことで前記仰角記憶手段に記憶された仰角の値を表示させることが可能に構成されている
ことを特徴とする請求項２または３に記載の仰角表示装置。
【請求項５】
角度の値を示す目盛が環状に設けられた回転可能な角度表示部を備え、
前記動作制御手段は、
前記第１指針駆動手段及び前記第２指針駆動手段を動作させることで前記第１の指針及び前記第２の指針がそれぞれ指し示す方向の角度差により、前記仰角記憶手段に記憶された仰角の値を表示させることが可能に構成されている
ことを特徴とする請求項２または３に記載の仰角表示装置。
【請求項６】
第３の指針と、
前記第３の指針を駆動する第３指針駆動手段とを備え、
前記動作制御手段は、
前記第３指針駆動手段を動作させて前記第３の指針に前記第１の指針の反対方向を指し示させる
ことを特徴とする請求項１〜５の何れか一項に記載の仰角表示装置。
【請求項７】
第４の指針と、
前記第４の指針を駆動する第４指針駆動手段とを備え、
前記動作制御手段は、
時刻を表示させる時刻表示機能動作と、仰角の方向を表示させる仰角表示機能動作とを含む複数の機能動作を選択的に実行する
ことを特徴とする請求項１〜５の何れか一項に記載の仰角表示装置。
【請求項８】
指針により指し示されることで実行中の機能動作を示す複数の標識が設けられた機能表示部を備え、
前記動作制御手段は、
実行中の機能動作に基づいて前記第４指針駆動手段を動作させて、前記第４の指針に前記機能表示部の所定の標識を指し示させる
ことを特徴とする請求項７記載の仰角表示装置。
【請求項９】
第４の指針と、前記第４の指針を駆動する第４指針駆動手段と、
指針により指し示されることで実行中の機能動作を示す複数の標識が設けられた機能表示部とを備え、
前記第１の指針は、時針であり、
前記第３の指針は、分針であり、
前記第４の指針は、秒針であり、
前記動作制御手段は、
時刻を表示させる時刻表示機能動作と、仰角の方向を表示させる仰角表示機能動作とを含む複数の機能動作を選択的に実行し、当該実行中の機能動作に基づいて前記第１指針駆動手段〜第４指針駆動手段の何れかを動作させ、動作する当該指針駆動手段により駆動される前記第１〜第４の各指針の何れかによって前記機能表示部の所定の標識を指し示させる
ことを特徴とする請求項６記載の仰角表示装置。
【請求項１０】
前記第１〜第４の各指針は、何れも共通の回転軸を中心に各々独立に回転可能に配置されている
ことを特徴とする請求項９記載の仰角表示装置。
【発明の詳細な説明】
【技術分野】
【０００１】
この発明は、独立に駆動される複数の指針を用いて仰角を表示する仰角表示装置に関する。
【背景技術】
【０００２】
従来、方位計、気圧計、温度計といった時刻表示以外の機能に係る表示を行う指針式の時計がある。これらの多機能指針式時計には、それぞれの機能ごとに独立の指針や表示部位を有するものがある。
【０００３】
特許文献１には、指針式時計において、開口部が設けられた文字盤、及び、この文字盤の裏側に配置され、重りが取り付けられた回転表示盤を備え、この指針式時計が傾くと重りによって回転表示盤が回転することで、回転表示盤上に設けられた指標が文字盤上に設けられた傾斜角度を表す目盛を機械的に指し示す技術が提案されている。
【先行技術文献】
【特許文献】
【０００４】
【特許文献１】特許第２６８７５６０号公報
【発明の概要】
【発明が解決しようとする課題】
【０００５】
しかしながら、従来の指針式時計に備えられた傾斜角度計では、測定した角度の表示を一定のまま保持したり、測定した角度の値を記憶させたりすることができない。従って、この指針式時計を携帯して傾斜角度計として利用する場合には、当該指針式時計の姿勢の変化によって角度の表示が安定せず、角度情報を取得するのが容易ではないという問題があった。
【０００６】
この発明の目的は、ユーザが容易に仰角の情報を取得することのできる指針式の仰角表示装置を提供することにある。
【課題を解決するための手段】
【０００７】
上記目的を達成するため、請求項１に記載の発明は、
第１の指針と、前記第１の指針を駆動する第１指針駆動手段と、第２の指針と、前記第２の指針を駆動する第２指針駆動手段と、水平方向を検出する水平方向検出手段と、前記第１指針駆動手段及び前記第２指針駆動手段の動作制御を行う動作制御手段とを備え、
前記動作制御手段は、
前記第１指針駆動手段を動作させて前記第１の指針に前記水平方向検出手段で求められた水平方向を表示させるとともに、前記第２指針駆動手段を動作させて前記第２の指針に所定の仰角の方向を表示させる
ことを特徴とする仰角表示装置である。
【０００８】
請求項２に記載の発明は、請求項１に記載の仰角表示装置であって、
仰角の値を入力する入力手段と、
前記入力手段により入力された仰角の値を記憶する仰角記憶手段とを備え、
前記動作制御手段は、
前記仰角記憶手段に記憶された仰角の値に基づいて前記第２指針駆動手段を動作させ、前記第２の指針に当該仰角の方向を表示させる
ことを特徴としている。
【０００９】
請求項３に記載の発明は、請求項１に記載の仰角表示装置であって、
指定された方向の仰角の値を取得する仰角取得手段と、
前記仰角取得手段により取得された仰角の値を記憶する仰角記憶手段とを備え、
前記動作制御手段は、
前記仰角記憶手段に記憶された仰角の値に基づいて前記第２指針駆動手段を動作させ、前記第２の指針に当該仰角の方向を表示させる
ことを特徴としている。
【００１０】
請求項４に記載の発明は、請求項２または３に記載の仰角表示装置であって、
角度の値を示す目盛が環状に設けられた角度表示部を備え、
前記動作制御手段は、
前記第１指針駆動手段又は前記第２指針駆動手段を動作させ、動作する当該指針駆動手段により駆動される前記第１の指針又は前記第２の指針が前記角度表示部の目盛を指し示すことで前記仰角記憶手段に記憶された仰角の値を表示させることが可能に構成されている
ことを特徴としている。
【００１１】
請求項５に記載の発明は、請求項２または３に記載の仰角表示装置であって、
角度の値を示す目盛が環状に設けられた回転可能な角度表示部を備え、
前記動作制御手段は、
前記第１指針駆動手段及び前記第２指針駆動手段を動作させることで前記第１の指針及び前記第２の指針がそれぞれ指し示す方向の角度差により、前記仰角記憶手段に記憶された仰角の値を表示させることが可能に構成されている
ことを特徴としている。
【００１２】
請求項６に記載の発明は、請求項１〜５の何れか一項に記載の仰角表示装置であって、
第３の指針と、
前記第３の指針を駆動する第３指針駆動手段とを備え、
前記動作制御手段は、
前記第３指針駆動手段を動作させて前記第３の指針に前記第１の指針の反対方向を指し示させる
ことを特徴としている。
【００１３】
請求項７に記載の発明は、請求項１〜５の何れか一項に記載の仰角表示装置であって、
第４の指針と、
前記第４の指針を駆動する第４指針駆動手段とを備え、
前記動作制御手段は、
時刻を表示させる時刻表示機能動作と、仰角の方向を表示させる仰角表示機能動作とを含む複数の機能動作を選択的に実行する
ことを特徴としている。
【００１４】
請求項８に記載の発明は、請求項７に記載の仰角表示装置であって、
指針により指し示されることで実行中の機能動作を示す複数の標識が設けられた機能表示部を備え、
前記動作制御手段は、
実行中の機能動作に基づいて前記第４指針駆動手段を動作させて、前記第４の指針に前記機能表示部の所定の標識を指し示させる
ことを特徴としている。
【００１５】
請求項９に記載の発明は、請求項６に記載の仰角表示装置であって、
第４の指針と、前記第４の指針を駆動する第４指針駆動手段と、
指針により指し示されることで実行中の機能動作を示す複数の標識が設けられた機能表示部とを備え、
前記第１の指針は、時針であり、
前記第３の指針は、分針であり、
前記第４の指針は、秒針であり、
前記動作制御手段は、
時刻を表示させる時刻表示機能動作と、仰角の方向を表示させる仰角表示機能動作とを含む複数の機能動作を選択的に実行し、当該実行中の機能動作に基づいて前記第１指針駆動手段〜第４指針駆動手段の何れかを動作させ、動作する当該指針駆動手段により駆動される前記第１〜第４の各指針の何れかによって前記機能表示部の所定の標識を指し示させる
ことを特徴としている。
【００１６】
請求項１０に記載の発明は、請求項９に記載の仰角表示装置であって、
前記第１〜第４の各指針は、何れも共通の回転軸を中心に各々独立に回転可能に配置されている
ことを特徴としている。
【発明の効果】
【００１７】
本発明に従うと、指針式の仰角表示装置において、ユーザが容易に仰角の情報を取得することができるという効果がある。
【図面の簡単な説明】
【００１８】
【図１】本発明の第１実施形態の電子時計を示す正面図である。
【図２】第１実施形態の電子時計の内部構成を示すブロック図である。
【図３】第１実施形態の電子時計での設定角度表示の際の表示例を示す説明図である。
【図４】第１実施形態の電子時計での仰角測定の際の指針による表示例を示す説明図である。
【図５】ＣＰＵによる仰角設定表示処理の制御手順を示すフローチャートである。
【図６】ＣＰＵによる仰角測定表示処理の制御手順を示すフローチャートである。
【図７】第１実施形態の電子時計の第１〜第３変形例を示した平面図である。
【図８】第１実施形態の電子時計での指針による表示内容の変形例を示した図である。
【図９】第２実施形態の電子時計の文字盤、ベゼル、及び、指針の構成を示した平面図である。
【図１０】第２実施形態の電子時計の内部構成を示すブロック図である。
【図１１】第３実施形態の電子時計の文字盤、ベゼル、及び、指針の構成を示した平面図である。
【図１２】第３実施形態の電子時計の内部構成を示すブロック図である。
【発明を実施するための形態】
【００１９】
以下、本発明の実施の形態を図面に基づいて説明する。
【００２０】
［第１実施形態］
図１は、本発明の第１実施形態の電子時計の外観を示す正面図である。
【００２１】
本発明の仰角表示装置の第１実施形態である電子時計１は、内部構造を支えるケーシング１０と前面を覆う風防ガラスとに覆われた内側に、文字盤１１と、文字盤１１上を回転可能に配置された時針２、分針３、秒針４、及び、機能針５と、ケーシング１０の右側面に設けられた入力手段としての操作ボタンＢ１、Ｂ２、及び、リューズＣ１などを備えている。また、文字盤１１及び風防ガラスの外縁に沿ってケーシング１０の上部には、環状のベゼル１３が取り付けられている。また、ケーシング１０の１２時側及び６時側の両側面には、それぞれバンド１４ａ、１４ｂが取り付けられている。
【００２２】
時針２、分針３、秒針４、及び、機能針５は、何れも文字盤１１の中央に設けられた孔を貫通する同軸の回転軸によって文字盤１１上の全面に亘って回転可能に配置されている。また、機能針５は分針３よりも長く、従って、分針３と比較して文字盤１１の外周寄りを指し示す。
【００２３】
文字盤１１の表面には、時刻を表す数値の表示や目盛と、電子時計１の動作可能な機能や動作状態の種別を示す文字列の表示１３１〜１３５とが設けられている。また、ベゼル１３の表面には、角度を示す数値及び目盛の表示が−９０度から９０度の範囲で環状に左右対称になされている。
【００２４】
図２は、第１実施形態の電子時計の内部構成を示すブロック図である。
【００２５】
この電子時計１は、電子時計１の動作の全体的な制御と演算処理を行うＣＰＵ（中央演算処理装置）４５（動作制御手段、仰角取得手段）と、ＣＰＵ４５に作業用メモリ空間を提供するＲＡＭ（Random Access Memory）４７と、ＣＰＵ４５が実行する種々の動作プログラムや初期設定データが格納されたＲＯＭ（Read Only Memory）４６と、ＣＰＵ４５に電力を提供する電源部５０と、計時動作やＣＰＵ４５の動作の基準となる所定の周波数信号を発振する発振回路４８と、発振回路４８の信号を所定の比率で分周する分周回路４９と、分周回路から時刻に同期して出力される１秒信号をカウントして時刻を計数する計時回路４４と、操作ボタンＢ１、Ｂ２が押された場合、及び、リューズＣ１が引き出され、或いは、押し込まれたり、回転されたりした場合に発生する操作信号をＣＰＵ４５へ送る操作部５１と、電子時計１の姿勢を電気的に検知する水平方向検出手段としての水平センサ５２と、ＣＰＵ４５からの指令に基づいて時針２、分針３、秒針４、及び、機能針５を輪列機構３２〜３５を介してそれぞれ独立に駆動する時針駆動部４０（第１指針駆動手段）、分針駆動部４１（第３指針駆動手段）、秒針駆動部４２（第４指針駆動手段）、及び、機能針駆動部４３（第２指針駆動手段）などを備えている。
【００２６】
ＲＯＭ４６には、通常の時刻表示プログラムのほか、仰角を所定の値に設定してこの仰角方向を指針により継続的に表示させるプログラム、及び、仰角を測定してその測定結果を表示するプログラムが格納されている。これらの実行プログラムは、操作ボタンＢ１、Ｂ２の操作によって切り換えて呼び出され、実行される。
【００２７】
ＲＡＭ４７は、入力操作により設定された仰角の設定値や測定された仰角の値を記憶する仰角記憶部４７ａ（仰角記憶手段）を含んでいる。仰角の設定値及び測定値の記憶部分は、共通であっても良いし、それぞれ独立に設けられていても良い。
【００２８】
水平センサ５２は、特に限られないが、例えば、２軸、或いは、３軸の半導体加速度センサである。水平センサ５２からＣＰＵ４５へ入力した加速度データを用いて重力方向を算出することにより、重力方向に垂直な面内を水平面として同定することが可能となっている。本実施形態の電子時計１では、２軸の水平センサ５２が文字盤１１と平行な面内での加速度の２成分を計測するように配置されている。
【００２９】
時針２及び分針３は、時刻表示機能の動作中には、時間及び分をそれぞれ表示する指針であり、文字盤１１上を一周する間に１度間隔で３６０ステップの指針方向を指し示すことが可能である。秒針４は、時刻表示機能の動作中には、秒を表示する指針であり、文字盤１１上を一周する間に６度間隔で６０ステップの指針方向を指し示すことが可能である。機能針５は、時刻表示機能の動作中には、特に制限されないが、例えば、図１に示されているように、文字盤１１上の文字列“ｔｉｍｅ”の表示１３１を指し示して現在は時刻表示機能の動作中であることを示す。機能針５は、時針２及び分針３と同様に文字盤１１上を一周する間に１度間隔で３６０ステップの指針方向を指し示すことが可能に構成されている。また、これらの指針２〜５は、右回り及び左回りの何れの向きにも回転可能となっている。
【００３０】
次に、電子時計１で仰角の表示を行う際の指針による表示例について説明する。
【００３１】
図３は、仰角を入力設定し、また、設定された仰角を指針により表示する場合の表示例を示す図である。また、図４は、指針を用いて仰角を測定し、また、測定結果を表示する場合の表示例を示す図である。
【００３２】
この電子時計１は、設定された仰角をリアルタイムで表示する場合、及び、仰角を測定する場合には、例えば、バンド１４ａを保持することにより電子時計１の文字盤１１が鉛直面内にある状態で利用する。
【００３３】
まず、仰角設定入力状態では、図３（Ａ）に示すように、時針２が９時を指し示し、また、分針３が３時を指し示すことにより水平面内を表わす。また、秒針４は、文字盤１１の７時方向に配置された文字列“ｓｅｔ”の表示１３２を指し示すことにより、仰角の設定入力状態であることを表示する。そして、仰角の入力操作では、リューズＣ１、或いは、操作ボタンＢ１、Ｂ２から入力操作により機能針５を移動させ、機能針５により指し示されるベゼル１３上の目盛が示す角度の値と、設定する仰角の値とを一致させる。図３（Ａ）は、機能針５を１０時の方向に向けることで、仰角を３０度に設定した状況を示している。
【００３４】
また、設定仰角表示状態では、秒針４は、文字盤１１の７時３０分方向に配置された文字列“ｄｉｓｐｌａｙ”の表示１３３を指し示して設定された仰角の表示状態であることを示す。そして、時針２及び分針３は、水平センサ５２からの入力データに基づいて互いに１８０度反対向きを保ちながら継続的に水平方向を表示する。また、機能針５は、水平センサ５２により同定された水平方向から設定された仰角（ここでは３０度）分回転した方向を継続的に指し示す（図３（Ｂ））。従って、図３（Ｃ）に示すように、ケーシング１０や文字盤１１が回転しても（例えば、２５度）、時針２、分針３、及び、機能針５は、常に水平方向及び設定された仰角方向を指し示した状態が維持される。
【００３５】
一方、仰角測定状態では、図４（Ａ）に示すように、秒針４は、文字盤１１の８時方向に配置された文字列“ｍｅａｓｕｒｅ”の表示１３４を指し示して仰角の測定状態であることを表示する。時針２及び分針３は、水平センサ５２の出力データに基づいて互いに反対向き（１８０度の角度差）を保ちながら回転移動して水平方向を表示し続ける（図４（Ａ）の状態では、右回りに１０度回転している）。そして、リューズＣ１或いは操作ボタンＢ１、Ｂ２からの入力操作、及び、電子時計１全体の回転動作により機能針５を回転させて機能針５の向きを測定する角度方向と一致させる。
【００３６】
また、測定結果表示状態では、秒針４は、文字盤１１の８時３０分方向に配置された文字列“ｒｅｓｕｌｔ”の表示１３５を指し示す。この表示により電子時計１は、測定された仰角の結果表示状態であることを示す。時針２及び分針３は、それぞれ９時及び３時を指し示して停止し、機能針５は、測定された仰角の値に従ってベゼル１３上の対応する角度目盛（ここでは、４５度）を指し示す（図４（Ｂ））。
【００３７】
次に、電子時計１の仰角設定入力状態、設定仰角表示状態、仰角計測状態、及び、測定結果表示状態における動作手順について説明する。
【００３８】
図５は、ＣＰＵ４５により実行される仰角設定表示処理の制御手順を示すフローチャートである。
【００３９】
この仰角設定表示処理は、図３に示した仰角設定入力状態、及び、設定仰角表示状態のときの動作処理であり、操作部５１から入力した所定の信号により開始される。まず、ＣＰＵ４５は、秒針駆動部４２へ信号を送って秒針４が仰角設定入力状態であることを示す表示１３２を指すように移動させる。続いて、ＣＰＵ４５は、時針２が９時を指し示し、また、分針３が３時を指し示すようにそれぞれ移動させることで水平方向を示す。それから、ＣＰＵ４５は、機能針５を初期位置（仰角記憶部４７ａに設定値が記憶されている場合は、設定値を示す方向、記憶されていない場合は、例えば、１２時方向）へ移動させる（ステップＳ１０）。
【００４０】
次いて、ステップＳ１１へ進み、操作部５１から機能針５を回転させる指令が入力されているか否かを判別する。機能針５を回転させる指令が入力されていると判別された場合は、ステップＳ１２へ移行し、ＣＰＵ４５は、入力指令に基づいて機能針駆動部４３へ信号を送り機能針５を回転駆動させた後、ステップＳ１３へ進む。一方、操作部５１から機能針５を回転させる指令が入力されていないと判別された場合は、そのままステップＳ１３へ移行する。
【００４１】
ステップＳ１３へ移行すると、次に、操作部５１から仰角設定入力処理を終了する指令が入力されているか否かを判別する。入力されていないと判別された場合は、ステップＳ１１へ戻り、機能針５の回転指令の入力判定処理を繰り返す。
【００４２】
ステップＳ１３の判別処理で、操作部５１から仰角設定入力処理を終了する指令が入力されていると判別された場合は、ステップＳ１４へ移行する。そして、ＣＰＵ４５は、機能針５が指し示すベゼル１３上の角度（−９０度〜＋９０度）を取得し、この値を仰角の設定値として仰角記憶部４７ａへ記憶させる。また、ＣＰＵ４５は、秒針４が設定仰角表示状態を示す表示１３３を指すように移動させるとともに、水平センサ５２をオンする。
【００４３】
続いて、ＣＰＵ４５は、水平センサ５２から計測されたデータを取得する（ステップＳ１５）。そして、ＣＰＵ４５は、取得したデータから水平方向を同定してこの水平方向に対応する文字盤１１上の指針方向を算出し、時針２及び分針３を算出されたこの指針方向へ回転駆動させる。また、ＣＰＵ４５は、これら時針２及び分針３によって示される水平線に対し、機能針５が設定された仰角の値と同一の角度を保つように機能針５を回転駆動させる（ステップＳ１６）。
【００４４】
そして、ステップＳ１７へ移行し、操作部５１から設定仰角表示処理の終了指令が入力されているか否かを判別する。設定仰角表示処理の終了指令が入力されていないと判別された場合は、ステップＳ１５へ戻り、ステップＳ１５〜Ｓ１６の処理を繰り返す。一方、操作部５１から設定仰角表示処理の終了指令が入力されていると判別された場合は、ＣＰＵ４５は、設定仰角表示処理を終了して水平センサ５２をオフし、それから、ステップＳ１８へ移行する。
【００４５】
ステップＳ１８の処理では、仰角の値を再設定するか否かを判別する。仰角の値を再設定すると判別された場合は、ステップＳ１９へ移行して、時針２及び分針３をそれぞれ９時及び３時の位置へ戻す。また、ＣＰＵ４５は、秒針４が仰角設定入力状態を示す表示１３２の位置を指し示すように秒針４を移動させるとともに、機能針５を現在設定されている仰角の設定値に対応するベゼル１３上の目盛を指すように移動させる。そして、ステップＳ１１へ戻る。
【００４６】
ステップＳ１８の判別処理で仰角の値の再設定を行わないと判別された場合は、そのまま設定角度表示処理を終了する。
【００４７】
図６は、仰角計測表示処理のＣＰＵ４５による制御手順を示したフローチャートである。
【００４８】
この仰角計測表示処理は、図４に示した仰角測定状態、及び、測定結果表示状態のときの動作処理であり、操作部５１からの入力指令により開始される。仰角計測表示処理が開始されると、まず、ＣＰＵ４５は、秒針駆動部４２へ信号を送って秒針４が仰角計測状態であることを示す表示１３４を指し示すように回転駆動させる（ステップＳ２０）。次いで、ステップＳ２１へ進み、ＣＰＵ４５は、水平センサ５２からデータを取得して、水平方向を同定する。そして、ＣＰＵ４５は、同定された水平方向に対応する文字盤１１上の指針方向を算出し、時針駆動部４０及び分針駆動部４１に信号を送って時針２及び分針３が１８０度反対向きを保ったまま算出された水平方向をそれぞれ指し示すように回転駆動させる（ステップＳ２２）。
【００４９】
続いて、ステップＳ２３へ進んで、操作部５１から機能針５の回転指令が入力されているか否かを判別する。機能針５の回転指令が入力されていると判別された場合は、ステップＳ２４へ移行し、ＣＰＵ４５は、この入力指令に基づいて機能針駆動部４３へ信号を送り機能針５を回転駆動させる。そして、ステップＳ２５へ進む。機能針５の回転指令が入力されていないと判別された場合は、機能針５を駆動させずにそのままステップＳ２５へ移行する。
【００５０】
ステップＳ２５へ移行すると、次に、操作部５１から仰角の測定要求が入力されているか否かを判別する。そして、測定要求が入力されていないと判別された場合には、ステップＳ２１へ戻り、ステップＳ２１〜Ｓ２４の処理を繰り返す。
【００５１】
一方、ステップＳ２５の判別処理で、仰角の測定要求が入力されていると判別された場合は、ステップＳ２６へ移行して、ＣＰＵ４５は、このタイミングでの時針２及び分針３が示す水平線に対する機能針５の角度を取得して、水平センサ５２をオフする。そして、ＣＰＵ４５は、取得した測定角度を仰角記憶部４７ａに記憶させる（ステップＳ２７）。
【００５２】
次いで、ステップＳ２８へ移行すると、ＣＰＵ４５は、まず、秒針４が測定結果表示状態を示す表示１３５を指すように移動させる。続いて、ＣＰＵ４５は、時針２が９時を指すように移動させ、また、分針３が３時を指すように移動させることで、水平方向を表示する。それから、ＣＰＵ４５は、仰角記憶部４７ａに記憶させた測定角度に基づいて機能針駆動部４３へ信号を送り、機能針５が測定角度に対応するベゼル１３上の目盛を指し示すまで回転駆動させることで測定した仰角を表示させる。
【００５３】
そして、ステップＳ２９へ移行すると、操作部５１から再計測を行うか否かの入力があるまで待機する。操作部５１から再計測を行うとの入力があると、まず、ステップＳ３０へ移行して、ＣＰＵ４５は、仰角測定状態を示す表示１３４を指すように秒針４を移動させるとともに、水平センサ５２をオンする。それから、ステップＳ２１へ戻り、上述のステップＳ２１〜Ｓ２５のループ処理、及び、ステップＳ２６〜Ｓ２８の処理を繰り返す。一方、操作部５１から再計測を行わないとの入力があると、ＣＰＵ４５は、仰角計測表示処理を終了する。
【００５４】
以上のように、本実施形態の電子時計１によれば、水平センサ５２を備えて水平方向を検出し、また、時針２及び分針３を用いて水平方向を表示することができるので、電子時計１自体の水平方向からの傾きを気にせずに目標とする仰角を機能針５によって表示させることができる。
【００５５】
また、半導体加速度センサを用いて水平方向を検出するので、軽量かつ小さい消費電力で精度よく仰角の測定及び表示を行うことができる。
【００５６】
また、リューズＣ１、或いは、操作ボタンＢ１、Ｂ２を用いて任意に仰角の値を入力設定することが可能であり、この設定した仰角の方向と水平方向とを継続的に表示するように指針を駆動するので、電子時計１自体の姿勢の変化の影響を受けずに設定した仰角を表示し続けることができる。
【００５７】
また、水平センサ５２を用いて電子時計１自体の水平方向を気にせずに機能針５を測定する角度方向に合わせることによって容易に目標とする方向の仰角を計測することができる。
【００５８】
また、設定値や測定した仰角の値を仰角記憶部４７ａに記憶させることができるので、設定値や測定値を設定後及び計測後に改めて表示させて確認することができる。また、前回の仰角の測定値や設定値と、今回の仰角の測定値とを直接比較させることもできる。
【００５９】
また、通常は６度間隔で駆動される秒針４の代わりに１度間隔で駆動される機能針５を追加することによって、精度の良い表示が必要な状況で細かい運針動作を行うことができる。また、分針３よりも長い機能針５によって仰角を表示することで、機能針５によって指し示されたベゼル１３上の目盛を読み取り易くすることができるとともに、時針２及び分針３の両方を用いて水平方向を表示することで、水平方向が認識しやすくすることができる。
【００６０】
また、専用の仰角測定装置としてだけではなく、指針式の電子時計の一機能とすることにより、簡便に仰角表示機能を利用することができる。
【００６１】
また、秒針４を用いて仰角表示機能における実行中の動作を表示することができ、また、機能針５を用いて時刻表示状態であることを示すことができる。従って、どの動作が実行されているかをユーザが容易に把握することができる。
【００６２】
また、機能針５を、例えば、文字盤１１上の一部に設けられた小窓の内部に配置せずに時針２、分針３、及び、秒針４と同一の軸を中心として文字盤１１の全面に亘って回転可能に配置することにより、文字盤１１全体を用いて仰角を計測しやすくすることができる。
【００６３】
ここで、上述のフローチャートで示されたＣＰＵ４５の制御手順では、設定仰角の表示や測定仰角の表示は、それぞれ毎回仰角の設定後、或いは、仰角の測定後に行われているが、仰角記憶部４７ａに記憶したデータを直接呼び出して毎回設定、或いは、測定を繰り返すことなく表示させる手順としても良い。また、測定した仰角の値を設定値として設定仰角の表示を行っても良い。
【００６４】
［第１変形例］
図７は、電子時計１の変形例を示す平面図である。
【００６５】
第１変形例の電子時計１では、図７（Ａ）に示すように、角度の目盛表示をベゼルにではなく、文字盤１１Ｂの外縁部に設けている。このような表記位置としてベゼルを省略した構成であっても上記の実施形態と同様に仰角の設定、測定、及び、表示を行うことができる。従って、電子時計１の軽量化及び構成の簡素化を図ることができる。
【００６６】
［第２変形例］
第２変形例の電子時計１では、ベゼル１３Ｃが回転可能に構成されている。そして、図７（Ｂ）に示すように、仰角測定状態から測定結果表示状態に移行する際に時針２及び分針３を３時と９時の水平表示方向に移動させず、また、機能針５を水平表示方向に対応して回転させずに、何れも測定位置のままとする。図７（Ｂ）の例では、電子時計１は、左回りに２０度回転している。このとき、ベゼル１３Ｃを右回りに２０度回転させて時針２及び分針３を０度の目盛と一致させることで、機能針５の示す仰角（３０度）を容易に読み取ることができる。
【００６７】
このような第２変形例の電子時計１では、毎回結果表示状態に移行する際に指針を駆動する必要がないので、電力の消費量を削減することができる。
【００６８】
［第３変形例］
第３変形例の電子時計１では、秒針４Ｄは、時針２、分針３、及び、機能針５と同様に一周の間に３６０ステップ（１度間隔）の駆動が可能となっている。従って、例えば、図７（Ｃ）に示すように、秒針４及び機能針５を用いて仰角を左右対称に表示することができる。
【００６９】
なお、第３変形例の電子時計１では、指針２〜５の指針を入れ替えて表示することとしても良い。
【００７０】
また、指針２〜５のそれぞれが何れの情報を表示するかに関しては、上述の実施形態の組み合わせに限られない。時針２、分針３、及び、機能針５は、何れも一周３６０ステップであり、また、それぞれ独立に駆動されるので、指し示す位置は入れ換え可能である。
【００７１】
図８は、電子時計１の指針２〜５による表示パターンの変更例を示した平面図である。
【００７２】
図８に示すように、例えば、水平方向の表示を時針２のみによるものとして、分針３が別の情報を指し示すように構成することができる。例えば、仰角設定入力状態のときに２つの値を設定し、図８（Ａ）に示すように、分針３及び機能針５により同時に２つの仰角を指し示すことが可能である。従って、ユーザは所定の仰角の範囲を容易に取得することができる。
【００７３】
また、図８（Ｂ）に示すように、回転して仰角方向を示す機能針５に加えて、分針３を機能針５に対して１８０度反対向きに移動させることで仰角方向を示す線分を長くすることができる。このように仰角測定方向を長く表示することによって、仰角測定状態のときにユーザがより仰角方向を合わせやすくすることができる。
【００７４】
また、図８（Ｃ）に示すように、測定結果表示状態のときに、機能針５が今回計測された仰角方向を示すとともに、分針３が以前に計測された仰角を文字盤１１上に同時に表示するように構成することができる。このような構成によって、今回計測した仰角と以前に計測した仰角とを直接比較することが可能となる。また、以前に計測した仰角のデータは、仰角記憶部４７ａに複数の記憶領域を設けて操作ボタンＢ１、Ｂ２からの入力操作により順次切り換えていくことで複数個を呼び出し可能とすることもできる。このような構成を用いることによって、計測した値をユーザ自身が記憶したり、外部に記録したりすることなく容易に変化や履歴を比較参照することができる。
【００７５】
［第２実施形態］
図９は、本発明の第２実施形態の電子時計の文字盤、ベゼル、及び、指針の構成を示した平面図である。また、図１０は、第２実施形態の電子時計の内部構成を示すブロック図である。
【００７６】
図９（Ａ）及び図１０に示すように、この第２実施形態の電子時計１では、機能針、機能針を回転させる輪列機構、機能針駆動部、及び、文字盤１１Ｅ上から時刻表示機能の動作中であることを示す文字列“ｔｉｍｅ”の表示が省略されている点を除いて上述の第１実施形態と同様の構成である。従って、同様の構成に関しては説明を省略する。
【００７７】
第２実施形態の電子時計１では、時刻表示機能の動作中には、図９（Ａ）に示すように、時針２、分針３、秒針４がそれぞれ時分秒を表示しており、時刻表示機能の動作中であることを表示しない。一方、仰角表示機能の各状態のときには、第１実施形態と同様に秒針４を用いて表示１３２〜１３５を指し示すことにより状態の種別を表示する。図９（Ｂ）の場合は、測定結果表示状態を示す表示１３５を指し示している。
【００７８】
また、この第２実施形態の電子時計１では、図９（Ｂ）に示すように、時針２のみによって水平方向を示し、分針３が仰角方向を示すことにより、２本の指針で仰角の表示を行っている。これ以外の動作に関しては第１実施形態の電子時計１と同様であり、説明を省略する。
【００７９】
このような構成により、余剰な機能針、及び、機能針駆動部を省略して構成を簡略化するとともに、消費電力を抑えることができる。
【００８０】
［第３実施形態］
図１１は、本発明の第３実施形態の電子時計の文字盤、ベゼル、及び、指針を示す平面図である。また、図１２は、第３実施形態の電子時計の内部構成を示すブロック図である。
【００８１】
第３実施形態の電子時計１では、図１１（Ａ）及び図１２に示されているように、文字盤１１Ｆの６時の方向に液晶表示部１５が設けられている。そして、この液晶表示部１５はＣＰＵ４５に接続されており、ＣＰＵ４５からの指令によって数字、記号やアルファベットを表示させることが可能となっている。また、水平センサ５２Ｆは、３軸方向に対して計測可能となっている。この電子時計１のその他の構成は、第１実施形態の電子時計１の構成と同様であり、説明を省略する。
【００８２】
図１１（Ａ）に示すように、ＣＰＵ４５は、時刻表示機能の動作中には、例えば、液晶表示部１５に日付や午前、午後の表記を行わせる。
【００８３】
また、例えば、設定仰角表示状態のときには、図１１（Ｂ）に示されているように、液晶表示部１５に当該仰角の値を表示させて、リューズＣ１、或いは、操作ボタンＢ１、Ｂ２の入力操作によりこの値を上下させることで仰角の設定を行う。
【００８４】
また、例えば、測定結果表示状態のときには、図１１（Ｃ）に示されているように、液晶表示部１５に前回の測定値を表示させるように構成されている。或いは、３軸の水平センサ５２Ｆの出力に基づいて液晶表示部１５に文字盤１１Ｆの鉛直面内からの傾きの角度を表示させることとしても良いし、または、設定仰角表示状態や仰角測定状態の際に文字盤１１Ｆが鉛直面内から外れたことを警告する表示を行うこととしても良い。
【００８５】
以上のように、第３実施形態の電子時計１では、液晶表示部１５を追加することによって仰角の設定時により簡便に設定を行うことができるようになるとともに、複数の値の表示が必要な場合に利用することが可能となる。
【００８６】
なお、本発明は、上記実施の形態に限られるものではなく、様々な変更が可能である。例えば、上記実施の形態では、電子腕時計を例に挙げて説明したが、置時計や懐中時計にも利用することが可能である。また、例えば、指針を用いたストップウォッチや電子コンパスといった時刻表示機能を有さない装置にも利用することができる。
【００８７】
また、上記実施の形態では、指針の本数は３本ないし４本であったが、２本の指針によって水平方向と仰角方向のみを同時に表示する構成とすることも可能である。
【００８８】
また、上記実施の形態では、全ての指針を共通の回転軸を中心として配置したが、例えば、機能表示を行う指針を小窓内に別個に配置するように構成することも可能である。
【００８９】
また、仰角設定入力状態、及び、測定結果表示状態での時針２及び分針３による水平面の表示は、必ずしも必要ではない。他の表示を行うことも可能である。
【００９０】
また、上記実施の形態では、仰角測定状態の際に、機能針５或いは分針３の指し示す方向の仰角の値を取得したが、指針を用いずに、例えば、電子時計の１２時方向の仰角の値を取得することも可能である。その他、指針の配置、機能表示の位置、他の機能の有無などの実施形態で示した細部は、発明の趣旨を逸脱しない範囲で適宜変更可能である。
【符号の説明】
【００９１】
１     電子時計
２     時針
３     分針
４、４Ｄ      秒針
５     機能針
１０   ケーシング
１１、１１Ｂ、１１Ｅ、１１Ｆ文字盤
１３、１３Ｃ  ベゼル
１４ａ、１４ｂバンド
１５   液晶表示部
３２〜３５    輪列機構
４０   時針駆動部
４１   分針駆動部
４２   秒針駆動部
４３   機能針駆動部
４４   計時回路
４５   ＣＰＵ
４６   ＲＯＭ
４７   ＲＡＭ
４７ａ 仰角記憶部
４８   発振回路
４９   分周回路
５０   電源部
５１   操作部
５２、５２Ｆ  水平センサ
１３１〜１３５表示
Ｂ１、Ｂ２    操作ボタン
Ｃ１   リューズ
【図１】
2011141218.tif 000003
【図２】
2011141218.tif 000004
【図３】
2011141218.tif 000005
【図４】
2011141218.tif 000006
【図５】
2011141218.tif 000007
【図６】
2011141218.tif 000008
【図７】
2011141218.tif 000009
【図８】
2011141218.tif 000010
【図９】
2011141218.tif 000011
【図１０】
2011141218.tif 000012
【図１１】
2011141218.tif 000013
【図１２】
2011141218.tif 000014